(57)【特許請求の範囲】
【請求項１】
複数個の発光素子を備える発光部が、ベース部材に搭載され且つグローブにより覆われた電球形ランプにおいて、
入射光を拡散させて出射する光拡散部材が、前記発光部と前記グローブとの間にあって前記発光部上に、前記発光部との距離を調整自在な状態で１つ設けられている
ことを特徴とする電球形ランプ。
【請求項２】
前記光拡散部材は凹レンズである
ことを特徴とする請求項１に記載の電球形ランプ。
【請求項３】
前記ベース部材は、一端に口金を有する筒状のケースの他端に固定され、
前記光拡散部材は前記グローブの内面に固着され、当該グローブが前記ケースの他端に挿抜自在に装着されている
ことを特徴とする請求項１又は２に記載の電球形ランプ。
【請求項４】
前記挿抜自在な構成は、前記グローブの開口側端部が前記ケースの他端に螺合し、前記グローブの前記ケースに対する回転により行われる
ことを特徴とする請求項３に記載の電球形ランプ。
【請求項５】
電球形ランプと、当該電球形ランプを着脱自在に装着する照明器具とを備える照明装置において、
前記電球形ランプが請求項１〜４の何れか１項に記載の電球形ランプである
ことを特徴とする照明装置。
【発明の詳細な説明】
【技術分野】
【０００１】
本発明は、半導体発光素子を用いた電球代替可能な電球形ランプ及び照明装置に関する。
【背景技術】
【０００２】
近年、省エネルギ化を図り地球温暖化を防止すべく、照明分野においても従来の白熱電球などに比べて高いエネルギ効率を実現できるＬＥＤ（Ｌｉｇｈｔ  Ｅｍｉｔｔｉｎｇ  Ｄｉｏｄｅ）を用いた照明装置が研究開発されている。
【０００３】
例えば、既存の白熱電球では、数十［ｌｍ／Ｗ］であったエネルギ効率が、ＬＥＤを光源として用いると（ＬＥＤを用いて、電球代替目的とした照明装置を、以下、「ＬＥＤ電球」とする。）、１００［ｌｍ／Ｗ］以上の高効率が実現可能である。
【０００４】
特許文献１などにおいて、従来の白熱電球に置き換わるＬＥＤ電球が提案されている。この特許文献１に記載されているＬＥＤ電球は、複数のＬＥＤが実装された基板を、ＬＥＤを点灯（発光）させるための点灯回路を内部に備える外郭部材の端面（表面）に載置固定し、当該ＬＥＤをドーム状のグローブで覆う構成を有している。なお、ＬＥＤが前記回路により発光すると、ＬＥＤ電球が点灯することとなる。
【先行技術文献】
【特許文献】
【０００５】
【特許文献１】特開２００６−３１３７１８号公報
【発明の概要】
【発明が解決しようとする課題】
【０００６】
近年、複数の配光特性を有するランプ、つまり、１つのランプで、例えば、狭い範囲で下方を照らした（スポット照明）り、広い範囲で下方全体を照らし（全般照明）たりできるものが要望されている。
【０００７】
しかしながら、上記ＬＥＤ電球は、その配光特性が予め定められており、照明器具に装着された状態では、照明器具側の反射板等により器具単位で配光特性が異なるものの、ランプから得られる配光特性を変えることはできない。
【０００８】
本発明は、上記問題を解決しようとなされたものであって、配光特性を調整することが可能な電球形ランプ及び照明装置を提供することを目的とする。
【課題を解決するための手段】
【０００９】
本発明に係る電球形ランプは、発光素子を備える発光部が、ベース部材に搭載され且つグローブにより覆われており、入射光を拡散させて出射する光拡散部材が、前記発光部と前記グローブとの間にあって、前記発光部との距離を調整自在な状態で設けられていることを特徴としている。
【発明の効果】
【００１０】
上記構成によれば、発光部と光拡散部材との間隔を調整することで、光拡散部材から出射される光が拡散して、配光特性を調節することができる。
さらに、前記光拡散部材は凹レンズであることを特徴している。
【００１１】
また、前記ベース部材は、一端に口金を有する筒状のケースの他端に固定され、前記光拡散部材は前記グローブの内面に固着され、当該グローブが前記ケースの他端に挿抜自在に装着されていることを特徴としている。
【００１２】
そして、前記挿抜自在な構成は、前記グローブの開口側端部が前記ケースの他端に螺合し、前記グローブの前記ケースに対する回転により行われることを特徴としている。
また、本発明に係る照明装置は、電球形ランプと、当該電球形ランプを着脱自在に装着する照明器具とを備え、前記電球形ランプが上記電球形ランプであることを特徴としている。
【図面の簡単な説明】
【００１３】
【図１】本発明の第１の実施の形態に係る電球形ランプの縦断面図である。
【図２】電球形ランプのグローブを取り外した状態の平面図である。
【図３】ＬＥＤモジュールの断面図である。
【図４】回路ホルダの基板の装着を説明する図であり、（ａ）は回路ホルダの断面図であり、（ｂ）は（ａ）のＹ−Ｙ線における断面を矢印方向から見た図である。
【図５】ランプからの光の出射角度の調整について説明するための図である。
【図６】グローブの装着方法の変形例を示す図であり、（ａ）はグローブとアダプタとの装着部分の縦断面の拡大図であり、（ｂ）はグローブの装着部分の斜視図である。
【図７】変形例に係るＬＥＤモジュール周辺の拡大断面図である。
【図８】変形例に係るランプ上部を示す概略図である。
【図９】変形例に係るランプからの光の出射角度について説明するための図である。
【図１０】本発明の実施の形態に係る照明装置を説明する図である。
【発明を実施するための形態】
【００１４】
以下、本発明の一例である実施の形態について、図面を参照しながら説明する。
＜第１の実施の形態＞
１．構成
図１は、本発明の第１の実施の形態に係る電球形ランプの縦断面図である。図２は、電球形ランプのグローブを取り外した状態の平面図である。
【００１５】
ここでは、発光素子にＬＥＤを用いた電球形ランプを、以下、「ＬＥＤ電球」として説明する。なお、ＬＥＤ以外に例えばＬＤを発光素子として利用することもできる。
ＬＥＤ電球１は、図１に示すように、複数のＬＥＤ１９を光源として備えるＬＥＤモジュール３と、当該ＬＥＤモジュール３を載置する載置部材５と、前記載置部材５を他端に備えるケース７と、ＬＥＤモジュール３を覆うグローブ９と、前記ＬＥＤ（１９）を点灯（発光）させる点灯回路１１と、前記ケース７の一端に設けられた口金部材１３と、ランプから出射される光の配光を調整する配光調整手段１５とを備える。
（１）ＬＥＤモジュール３
図３は、ＬＥＤモジュールの断面図である。
【００１６】
ＬＥＤモジュール３は、基板１７と、当該基板１７の主面に実装された複数のＬＥＤ１９と、ＬＥＤ１９を被覆する封止体２１とを備える。なお、ＬＥＤ１９の数、接続方法（直列接続、並列接続）等は、ＬＥＤ電球１として要求される所望の発光光束等により適宜決定される。また、基板１７のＬＥＤ１９を実装している主面を、「ＬＥＤ実装面」ともいう。
【００１７】
基板１７は、絶縁性材料からなる基板本体２３と、この基板本体２３の主面に形成された配線パターン２５とを備える。配線パターン２５は、複数のＬＥＤ１９を所定の接続方法で接続するための接続部２５ａと、点灯回路１１に接続する給電路（リード線）と接続する端子部２５ｂとを有する。
【００１８】
ＬＥＤ１９は、半導体発光素子であって所定の光色を発する素子である。また、封止体２１は、ＬＥＤ１９が外気に触れないようにＬＥＤ１９を封止するものであり、例えば、透光性材料と、ＬＥＤ１９から発せられた光の波長を所定の波長へと変換する変換材料とからなる。
【００１９】
具体例として、基板１７として、例えば、樹脂材料やセラミック材料が利用されるが、熱伝導率の高い材料が好ましい。また、電球代替を目的とする場合、ＬＥＤ１９として、例えば青色光を出射するＧａＮ系が用いられ、透光性材料として、例えばシリコーン樹脂が、変換材料として、例えば珪酸塩（シリケート）蛍光体（（Ｓｒ，Ｂａ）２ＳｉＯ4：Ｅｕ２＋，Ｓｒ３ＳｉＯ５：Ｅｕ２＋）等がそれぞれ利用され、結果として、ＬＥＤモジュール３から白色光が出射される。
【００２０】
ＬＥＤ１９の基板１７への実装は、例えば、マトリックス状に配されるように行われており、４８個のＬＥＤ１９が８行×６列で実装され、これらのＬＥＤ１９が電気的に接続されている。
（２）載置部材５
載置部材５は、ＬＥＤモジュール３を装着すると共に、後述の筒状をしたケース７の他端を塞いでいる。載置部材５は、図１及び図２に示すように、例えば円盤状をし、ケース７の他端に内嵌され、ケース７の外部側（図１では、上側である。）に位置する面（この面を表面とする。）にＬＥＤモジュール３が装着されている。
【００２１】
ここでは、ケース７が円筒状をしているため、載置部材５は円盤状をし、その外周面３５がケース７の内周面７ａに当接している。
載置部材５の表側には、ＬＥＤモジュール３載置用の凹部２７が形成され、この凹部２７の底面とＬＥＤモジュール３の基板１７とが面接触する状態で、ＬＥＤモジュール３が載置部材５に取着されている。なお、ＬＥＤモジュール３の載置部材５への取着は、例えば、固定ビスにより直接固定する方法や、板ばね等により取着力を加える方法により行われる。なお、この凹部２７によりＬＥＤモジュール３の位置決めが容易且つ正確に行える。
【００２２】
載置部材５は、その厚み方向に貫通する貫通孔２９を備え、点灯回路１１からの給電路３１が当該貫通孔２９を通って、基板１７の端子部２５ｂに電気的に接続される。なお、貫通孔２９は少なくとも１個あれば良く、この場合は、２つの給電路（３１）が１つの貫通孔（２９）を通り、また、貫通孔２９，２９が２個あれば、２つの給電路３１，３１は、別々に貫通孔２９，２９を通ることとなる。
（３）ケース７
ケース７は、図１に示すような筒状をし、他端から一端にかけて徐々に外径が小さくなっており、他端に上記の載置部材５が取着され、一端に口金部材１３が設けられている。ケース７は、内部に回路ホルダ５０を収納し、この回路ホルダ５０内に点灯回路１１が保持（格納）されている。
【００２３】
ここでのケース７は、筒壁３９と、筒壁３９の一端に設けられた底壁４１とを有し、前記底壁４１の中央部分(筒部の中心軸を含む。）に貫通孔４３が設けられている。
筒壁３９は、筒壁３９の中心軸に沿って移動しても内径が略一定なストレート部４５と、中心軸に沿って移動した（他端から一端に移動した）ときに、内径が徐々に小さくなるテーパ部４７とを有している。
【００２４】
また、ＬＥＤ１９が点灯した際に発生した熱は、ＬＥＤモジュール３の基板１７から載置部材５へと、載置部材５からさらにケース７へと伝わり、ケース７に伝わった熱が当該ケース７から外気へと主に放出される。このため、ケース７は、ＬＥＤ１９が点灯した際に発生した熱を外気中に放熱する放熱機能を有し、ヒートシンクとも言え、載置部材５は、ＬＥＤモジュール３の熱をケース７に伝える伝熱機能を有し、熱伝導部材とも言える。
【００２５】
載置部材５のケース７への装着は、例えば、載置部材５をケース７の他端から圧入することで行われる。圧入時の載置部材５の位置決めは、ケース７内面に形成されたストッパー４８により行われる。ストッパー４８は、複数（例えば、３個である。）あり、ケース７の周方向に等間隔で形成されている。
（４）点灯回路１１
点灯回路１１は、口金部材１３を介して供給される商業用電力を利用してＬＥＤ１９を点灯させる。
【００２６】
点灯回路１１は、回路ホルダ５０内に格納され、当該回路ホルダ５０はケース７に取着されている。回路ホルダ５０は、ホルダ本体４９と蓋体５１とから構成され、蓋体５１はホルダ本体４９の格納口を塞いでいる。
【００２７】
ホルダ本体４９は、図１に示すように、ケース７の内部からケース７の底壁４１の貫通孔４３を通って外部へと突出する突出筒部５３と、ケース７の底壁４１の内面に当接する底部５５と、底部５５の外周縁から突出筒部５３の突出方向と反対側に延伸する大径筒部５７とを有し、大径筒部５７の開口が前記蓋体５１により塞がれている。突出筒部５３の外周面は、口金部材１３の口金部７３と螺着するねじ部５６となっている。
【００２８】
蓋体５１は、図１に示すように、蓋部５９と筒部６１とを有する有底筒状をし、例えば、筒部６１がホルダ本体４９の大径筒部５７に外嵌する。
なお、蓋体５１とホルダ本体４９とは、例えば、接着剤で固着しても良いし、係合部と被係合部とを組み合わせた係合手段により固定しても良いし、両者にねじを設けて螺着しても良いし、さらには、蓋体５１の筒部６１の内径をホルダ本体４９の大径筒部５７の外径よりも小さくして、嵌め合い（しまり嵌め）により固定しても良い。
【００２９】
図４は、回路ホルダの基板の装着を説明する図であり、（ａ）は回路ホルダの断面図であり、（ｂ）は（ａ）のＹ−Ｙ線における断面を矢印方向から見た図である。
なお、同図の（ａ）では、基板の装着方法が分かるように、基板に実装されている電子部品６５等の図示は省略している。
【００３０】
電子部品６５等が実装されている、後述の基板６３は、回路ホルダ５０の規制腕と係止爪とからなるクランプ機構により保持される。
具体的には、複数（２個以上、例えば、４個である。）の規制腕６９ａ，６９ｂ，６９ｃ，６９ｄと、複数（２個以上、例えば、４個である。）の係止爪７１ａ，７１ｂ，７１ｃ，７１ｄとが、蓋体５１の蓋部５９から点灯回路１１側へと突出するように、それぞれ設けられている。
【００３１】
係止爪７１ａ，７１ｂ，７１ｃ，７１ｄの先端部（点灯回路１1側の端部）は、図４の（ａ）に示すように、点灯回路１１側から蓋部５９に近づくに従って回路ホルダ５０の中心軸側に近づく傾斜面７２ａ，（７２ｂ，）７２ｃ，７２ｄを有している。
【００３２】
これにより、係止爪７１ａ，７１ｂ，７１ｃ，７１ｄの先端部の傾斜面７２ａ，７２ｂ，７２ｃ，７２ｄに基板６９を当接させ、この状態のまま基板６９を蓋部５９側に押し込むと、係止爪７１ａ，７１ｂ，７１ｃ，７１ｄが回路ホルダ５０の径方向の外方へと拡がり、やがて、基板６９の周縁が係止爪７１ａ，７１ｂ，７１ｃ，７１ｄにより係止される。このとき、基板６９の蓋部５９側の面が規制腕６９ａ，６９ｂ，６９ｃ，６９ｄで規制される。
【００３３】
なお、規制腕６９ａ，６９ｂ，６９ｃ，６９ｄと、複数（２個以上、例えば、４個である。）の係止爪７１ａ，７１ｂ，７１ｃ，７１ｄとは、周方向に等間隔をおいて形成されている。
【００３４】
回路ホルダ５０のケース７への装着は、ホルダ本体４９の底部５５と口金部材１３とでケース７の底壁４１を挟み込むことで行われる。
点灯回路１１は、基板６３に実装されている複数の電子部品６５，６７等から構成され、例えば、整流・平滑回路、ＤＣ／ＤＣコンバータ等から構成されている。なお、複数の電子部品の符号は、便宜上「６５」と「６７」で表している。
【００３５】
基板６３は、その一の主面に上記電子部品６５，６７を実装し、電子部品６５，６７がホルダ本体４９の突出筒部５３側に位置する状態で、回路ホルダ５０に保持されている。なお、基板６３の他の主面は、ＬＥＤモジュール３と接続された給電路３１が取着されている。
（５）口金部材１３
口金部材１３は、灯具のソケットに取着され、このソケットから給電を受けるためのもので、ここでは、エジソン式の口金部７３と、当該口金部７３の開口側の端部から径方向の外方に延出する鍔部７５とを有している。なお、図１では、点灯回路１１と口金部７３とを電気的に接続する接続線の図示は省略している。
【００３６】
口金部７３は、ねじ部分のシェル部７７と先端部のアイレット部７９とを有し、シェル部７７が回路ホルダ５０のねじ部５６と螺合する。
（６）グローブ９及び配光調整手段１５
グローブ９は、例えばドーム状をし、ＬＥＤモジュール３を被覆する状態で、アダプタ８１を介してケース７に装着されている。
【００３７】
グローブ９は、ＬＥＤモジュール３から発せられた光を拡散する光拡散部材８３を内部に有する。具体的には、光拡散部材８３がグローブ９の内面に取着されている。なお、光拡散部材８３は、例えば凹レンズにより構成され、凹入面がグローブ９と対向する状態で設けられている。
【００３８】
アダプタ８１は、図１に示すように、口金部材１３側の端部８５がケース７の筒壁３９の端部に固着されている。
アダプタ８１は、内周面が雌ネジ部８７になっており、また、グローブ９の開口端部の外周面が雄ネジ部８９になっている。このため、グローブ９とアダプタ８１とが螺合した状態では、グローブ９がケース７（アダプタ８１）に対して回転自在に装着されることとなる。
【００３９】
そして、グローブ９をケース７に対して回転させることで、グローブ９がケース７に対して挿抜し、グローブ９に装着された光拡散部材８３とＬＥＤモジュール３との距離を調整できる。このようにしてＬＥＤランプ１から出射される光の配光を調整することが可能となる。
【００４０】
なお、アダプタ８１のグローブ９側の端部には、内方へと張り出すストッパー９１が設けられ、グローブ９のアダプタ８１からの脱落を防止している。
２．配光について
光拡散部材とＬＥＤモジュールとの距離（間隔）を変更することで、ＬＥＤランプから出射される光の配光を変更できることを説明する。
【００４１】
図５は、ランプからの光の出射角度について説明するための図である。
同図の（ａ）は光拡散部材８３とＬＥＤモジュール３との間隔が狭い場合の光の出射角を示すものであり、（ｂ）は光拡散部材８３とＬＥＤモジュール３との間隔が広い場合の光の出射角を示すものである。
【００４２】
同図の（ａ）に示すように、光拡散部材８３とＬＥＤモジュール３との間隔が狭い場合、ＬＥＤモジュール３から出射された光のうち、光拡散部材８３に対して直交して入射した光はそのまま光拡散部材８３内を直進し、そのままの方向に凹入面から出射する。
【００４３】
一方、ＬＥＤモジュール３から出射された光のうち、光拡散部材８３に対して外側（外側に拡がる方向）へと傾斜して入射した光は、光拡散部材８３の表面が凹入面であるため、出射時に外側へと傾斜し、そして出射する。
【００４４】
このとき、例えば、光拡散部材８３に対して傾斜して入射する光Ａ１は、凹入面の中心に対して径方向に「Ｌ１」離れた箇所から出射される。このようにしてＬＥＤモジュール３から出射され光拡散部材８３に入射した光は、「Ｂ１」の角度で光拡散部材８３から出射される。
【００４５】
同図の（ｂ）に示すように、光拡散部材とＬＥＤモジュールとの間隔が広い場合、ＬＥＤモジュール３から出射された光のうち、光拡散部材８３に対して直交して入射した光は、上述したように、そのまま光拡散部材８３内を直進し出射する。
【００４６】
一方、ＬＥＤモジュール３から出射された光のうち、光拡散部材８３に対して外側（外側に拡がる方向）へと傾斜して入射した光も、上述のように、出射時に外側へと傾斜して出射する。
【００４７】
このとき、例えば、光拡散部材８３に対して傾斜して入射する光Ａ２（図５の「Ａ１」と同じ位置から同じ方向に出射されている。）は、光拡散部材８３の凹入面の中心に対して径方向に「Ｌ２」離れた箇所から出射される。このようにしてＬＥＤモジュール３から出射され光拡散部材８３に入射した光は、「Ｂ２」の角度で光拡散部材８３から出射される。
【００４８】
ここで、図５の（ａ）の角度Ｂ１と、同図の（ｂ）の角度Ｂ２とを比較する。同図の（ａ）と（ｂ）において、光拡散部材８３に対して入射する角度は互いに等しいものの、光拡散部材８３とＬＥＤモジュール３との間隔が異なるため、光拡散部材８３から出射する位置が異なる。つまり、光拡散部材８３とＬＥＤモジュール３との間隔が小さい場合は、光拡散部材８３の中心を基準にすると、（ａ）では距離Ｌ１となり、光拡散部材８３とＬＥＤモジュール３との間隔が広い場合は、（ｂ）では距離Ｌ２となり、距離Ｌ２の方が距離Ｌ１よりも大きくなる。
【００４９】
光拡散部材８３は、凹レンズであり、出射側の面が凹入面となっているため、光拡散部材８３に入射する角度が等しくても、出射する位置が中心軸に対して外側にあるほど、出射角が大きく（より外に広がる）なる。これにより、光拡散部材８３とＬＥＤモジュール３との間隔が広くなるほど、拡散して光が出射されることとなる。
【００５０】
このように、光拡散部材８３とＬＥＤモジュール３との距離（間隔）を変更する、つまり、グローブ９をケース７に対して回転させることで、ＬＥＤランプ１から出射される光の配光を変更（調整）することができる。
＜その他＞
１．グローブの装着について
実施の形態では、グローブ９がアダプタ８１に対して回転自在に装着（螺合構造）され、グローブ９がアダプタ８１に対して回転させることで、光拡散部材８３とＬＥＤモジュール３との間隔を調整していたが、他の構成により光拡散部材とＬＥＤモジュールとの間隔を調整しても良い。
【００５１】
図６は、グローブの装着方法の変形例を示す図であり、（ａ）は、グローブとアダプタとの装着部分の縦断面の拡大図であり、（ｂ）は、グローブの装着部分の斜視図である。
変形例１に係るグローブ１０１とアダプタ１０３とは、係合構造を利用することで、グローブ１０１がアダプタ１０３に対して挿抜自在な状態で、装着されている。
【００５２】
グローブ１０１は、実施の形態と同様にドーム状をし、開口側端部１０５の外周の所定箇所、例えば、２箇所に外方へと突出する係合突部１０７を有し、一方、アダプタ１０３は、グローブ１０１の係合突部１０７の個数に対応して、ランプの中心軸方向に延伸する溝部１０９と、当該溝部１０９に沿って間隔をおいて形成され且つ溝部１０９の延伸方向と直交する方向（周方向である。）に延伸する複数の係合凹部１１１，１１３，１１５とを備える。
【００５３】
グローブ１０１は、ドーム部１２１と筒部１２３とを有し、当該筒部１２３の外周径は、係合突部１０７のある部分を除いて、筒状のアダプタ１０３の内周径と略一致し（グローブ１０１がアダプタ１０３に挿入される）ている。そして、グローブ１０１の係合突部１０７がアダプタ１０３の溝部１０９と係合凹部１１１，１１３，１１５内に配されるようにして、グローブ１０１とアダプタ１０３とが装着される。なお、グローブ１０１はアダプタ１０３のケース側から挿入される。
【００５４】
そして、グローブ１０１の係合突部１０７が、アダプタ１０３の溝部１０９に位置している場合は、グローブ１０１がアダプタ１０３の溝部１０９に沿ってアダプタ１０３の中心軸方向に移動（挿抜）自在となり、アダプタ１０３の溝部１０９から係合凹部１１１，１１３，１１５に移動することで係合突部１０７が係合凹部１１１，１１３，１１５のいずれかに係合して、グローブ１０１がアダプタ１０３に対して位置決めされる。
【００５５】
これにより、グローブ１０１がアダプタ１０３に対して挿抜自在に装着されることになる。なお、アダプタ１０３は実施の形態と同様に、ケース７に固着されている。
２．配光特性
（１）光拡散部材
実施の形態では、光拡散部材として凹レンズを用いたが、ＬＥＤモジュールから発せられた光を、ＬＥＤモジュールとの距離の調整により、光拡散部材からの出射角度を変更できるもの或いは変更できる構成であれば、他のもの或いは他の構成を用いることができる。
【００５６】
光拡散部材を固定し、発光部を可動させることで光拡散部材からの出射角度を変更しても良い。また、光拡散部材及び光源の相互移動で光拡散部材からの出射角度を変更しても良い。
（２）配光特性
実施の形態では、拡散部材８３と発光部（ＬＥＤモジュール３）との間隔を調整することで配光特性を調整可能としていたが、配光特性は発光部の位置により変化するため、例えば、グローブの回転に合わせて発光部をグローブ内で移動可能に装着し、グローブを回転させることで発光部を移動させ、配光特性を調整するようにしても良い。
【００５７】
この場合、光拡散部材をグローブ内に設けても良いし、設けなくても良い。さらには、発光部自身にレンズ機能を持たせて、発光部を稼動させることでグローブ内面との距離を変え、出射角度を調整するようにしても良い。
３．反射板
実施の形態では、ＬＥＤモジュール３と光拡散部材８３との間に、ＬＥＤモジュール３からの光の方向を変化させる部材は存しなかったが、変化させる部材を設けても良い。ここでは、変化させる部材として反射板を利用する場合を変形例として説明する。
【００５８】
図７は、変形例に係るＬＥＤモジュール周辺の拡大断面図である。
変形例に係るＬＥＤモジュール２０１は、載置部材２０３に載置され、また、載置部材２０３におけるＬＥＤモジュール２０１の周辺には、ＬＥＤモジュール２０１から径方向の外方へと離れるに従って載置部材２０３から離れる（高くなる）形状の反射板２０５が設けられている。
【００５９】
ＬＥＤモジュール２０１は、裏面に端子部２０７，２０９を有する基板２１１と、基板２１１の表面に実装された複数のＬＥＤと、基板２１１の表面に形成され且つ複数のＬＥＤを封止する封止体２１３とを有する。
【００６０】
載置部材２０３は、上面（グローブ９側の面）に、ＬＥＤモジュール２０１用の凹入部２０３ａを有すると共に凹入部２０３ａの面にＬＥＤモジュール２０１の端子部２０７，２０９に接続する給電部２１５，２１７を備えている。
【００６１】
なお、給電部２１５，２１７は、点灯回路１１に接続されている配線２１９，２２１と接続されている。また、グローブ９、光拡散部材８３、アダプタ８１は、実施の形態と同様の構成である。
【００６２】
上記構成では、ＬＥＤモジュール２０１から発せられて光拡散部材８３に向かう光以外の光、つまり、ＬＥＤモジュール２０１から側方に発せられた光が、反射板２０５で光拡散部材８３へと向かうように反射されるので、ＬＥＤモジュール２０１から発せられた光を有効利用できる。
４．ランプ
（１）光源
実施の形態では、ＬＥＤモジュール３の上方（ランプ軸の延伸する方向であって口金と反対側）に光拡散部材８３を配置し、ＬＥＤモジュール３から発せられた光がなるべく光拡散部材８３を通るようにしていたが、出射された光が光拡散部材を通らないように光源（ＬＥＤモジュール３とは別のＬＥＤモジュールであり、その構成はＬＥＤモジュール３と同じであっても良いし、異なっていても良い。）を設けても良い。
【００６３】
以下、別のＬＥＤモジュールを配した変形例について説明する。
図８は、変形例に係るランプ上部を示す概略図である。
変形例に係るランプは、載置部材３０１に、実施の形態で説明したＬＥＤモジュール３と、当該ＬＥＤモジュール３の周辺に配された第２のＬＥＤモジュール３０３とが載置され、グローブ３０５で覆われている。
【００６４】
ＬＥＤモジュール３は、平面視において、載置部材３０１の中央に配され、第２のＬＥＤモジュール３０３がＬＥＤモジュール３を取り囲むように配されている。
ここでは、第２のＬＥＤモジュール３０３は、４個あり、ＬＥＤモジュール３上で交差するような「＋」状に配されている。つまり、ＬＥＤモジュール３を中心とした円周上を、周方向に等間隔をおいて４個配されている。
【００６５】
第２のＬＥＤモジュール３０３は、同図に示すように、ＬＥＤモジュール３のＬＥＤ１９よりも大型なＬＥＤ３０７が利用されている。なお、第２のＬＥＤモジュール３０３のＬＥＤは、ＬＥＤモジュール３のＬＥＤ１９と同じ仕様のＬＥＤであっても良いし、同じＬＥＤ１９を複数用いても良いし、第２のＬＥＤモジュール３０３は、ＬＥＤモジュール３と同じ構成であっても良い。
【００６６】
図９は、変形例に係るランプからの光の出射角度について説明するための図である。
同図の（ａ）は光拡散部材８３とＬＥＤモジュール３との間隔が狭い場合の光の出射角を示すものであり、（ｂ）は光拡散部材８３とＬＥＤモジュール３との間隔が広い場合の光の出射角を示すものである。
【００６７】
同図に示すＬＥＤモジュール３から出射された光の光拡散部材８３から出射角度（図中の「Ｂ１」、「Ｂ２」は、図５で説明した通りである。
同図の（ａ）に示すように、光拡散部材８３とＬＥＤモジュール３との間隔が狭いと出射角度Ｂ１は小さくなり、例えば、ＬＥＤモジュール３のみを点灯（つまり、周辺の第２のＬＥＤモジュール３０３を消灯させる）させれば、スポット照明として利用できる。
【００６８】
一方、同図の（ｂ）のように、光拡散部材８３とＬＥＤモジュール３との間隔が広いと出射角度Ｂ２は大きくなり、例えば、すべてのＬＥＤモジュール３，３０３を点灯させれば、広範囲を照らす一般照明として利用できる。この場合、グローブ３０５から全方向に光を出射させる場合（電球の配光特性に近い配光である。）、第２のＬＥＤモジュール３０３（正確にはＬＥＤ３０７である。）を外側に傾斜させるのが好ましい。
【００６９】
なお、第２のＬＥＤモジュール３０３の点灯・消灯は、例えば、リモコンを利用することで実施できる。
例えば、ＬＥＤモジュール３の印加電圧と、点灯時の第２のＬＥＤモジュール３０３の印加電圧とを等しくし、さらに、ＬＥＤモジュール３のＬＥＤ１９と、第２のＬＥＤモジュール３０３のＬＥＤ３０７とを並列接続しておく。一方、点灯回路は、リモコンからの信号を受信する受信部と、受信部が受信する信号により、ＬＥＤモジュール３だけを点灯させる直列回路と、すべてのＬＥＤモジュール３，３０３を点灯させる並列回路とを切り替えるスイッチ回路（スイッチング素子）とを備える。
【００７０】
つまり、スポット照明として利用するときは、複数のＬＥＤ１９を直接接続で点灯させ、一般照明として利用するときは、上記複数のＬＥＤ１９を直列接続した直列接続群に対して並列接続され且つ第２のＬＥＤモジュール３０３のＬＥＤ３０７を直列接続してなる直列接続群を追加的に点灯させる。
【００７１】
なお、リモコンを利用して第２のＬＥＤモジュール３０３を点灯・消灯させる場合は、例えば、ＬＥＤモジュール３と光拡散部材８３との間隔をリモコンで調整できるように、駆動手段（小型モータ）を設けても良い。
（２）タイプ
実施の形態では、ＬＥＤを光源として、白熱電球代替としてのＬＥＤ電球について説明したが、例えば、点灯回路を有しない蛍光ランプ（コンパクト型蛍光ランプとも言われている）代替するようなランプにも適用することができる。
５．グローブ
実施の形態等では、ＬＥＤ電球として半球状（正確には、半球状部と筒状部とからなる形状）のグローブ９を備えていたが、他の形状、具体的は、電球形蛍光ランプのグローブと同様に、所謂、Ａ形、Ｇ型等の形状をしていても良いし、さらには、これらの形状と全く異なる形状であっても良い。
【００７２】
また、実施の形態ではグローブ９を備えるＬＥＤ電球であったが、グローブを備えていなくても良い。
６．照明装置
上記で説明したＬＥＤ電球（例えば、実施の形態に係るＬＥＤ電球１である。）を光源とした照明装置の一例について説明する。
【００７３】
図１０は、本発明の実施の形態に係る照明装置の一例を説明する図である。
照明装置３０１は、ＬＥＤ電球１と照明器具３０３とを備え、ここでの照明器具３０３は、所謂、ダウンライト用照明器具である。
【００７４】
照明器具３０３は、ＬＥＤ電球１と電気的に接続され且つＬＥＤ電球１を保持するソケット３０５と、ＬＥＤ電球１から発せられた光を所定方向に反射させる反射板３０７と、図外の商用電源と接続される接続部３０９とを備える。
【００７５】
ここでの反射板３０７は、天井３１１の開口３１１ａを介してソケット３０５側が天井３１１の裏側に位置するように天井３１１に取り付けられている。
なお、本発明に係る照明装置は、上記ダウンライト用に限定するものでないのは言うまでもない。
【００７６】
最後に、各実施の形態及び各変形例では、それぞれ個別に特徴部分について説明したが、各実施の形態及び各変形例での説明した構成を、他の実施の形態や他の変形例の構成と組み合わせても良い。
【産業上の利用可能性】
【００７７】
本発明は、配光特性を調整することが可能な電球形ランプ及び照明装置に利用できる。
【符号の説明】
【００７８】
１    ＬＥＤ電球（電球形ランプ）
３    ＬＥＤモジュール（発光モジュール）
５    載置部材（熱伝導部材）
７    ケース（ヒートシンク）
９    グローブ
１１    点灯回路
１３    口金部材（口金）
１５    配光調整手段
８１    アダプタ
８３    光拡散手段
【図１】
0005580112.tif 000002
【図２】
0005580112.tif 000003
【図３】
0005580112.tif 000004
【図４】
0005580112.tif 000005
【図５】
0005580112.tif 000006
【図６】
0005580112.tif 000007
【図７】
0005580112.tif 000008
【図８】
0005580112.tif 000009
【図９】
0005580112.tif 000010
【図１０】
0005580112.tif 000011